(57)【要約】【課題】物品の受取人が物品が届けられていることを確実に知ることができるサーバーを提供する。【解決手段】サーバー１は、ＬＡＮやインターネット等のネットワーク１００を介して、マンション等の集合住宅のエントランスに設けられ集合住宅の住人が所有するカード等の記録媒体を認証する認証装置２００、集合住宅に設置された宅配ボックス３００、集合住宅の住人が所有する端末装置４００およびウェブサーバー５００に接続される。【選択図】　　　　図１
2004059228.tif 000002
【特許請求の範囲】
【請求項１】
施設の出入り口付近に配置され、利用者の前記施設の利用を制限するゲート手段、
前記利用者が所持している記憶媒体に記録されている識別情報を読み出すリーダ、
前記利用者に情報の通知をする通知手段および
宛先が指定された物品を保管する保管庫
とネットワークを介して接続されるサーバーであって、
このサーバーは、
前記リーダが読み出した識別情報に基づいて前記利用者の前記施設の利用の可否を判定し、この判定結果を前記ゲート手段に送信する判定手段と、
保管庫に物品が保管されている旨および前記物品の宛先である利用者の識別情報を記憶する記憶手段と、
リーダが読み出した識別情報を前記記憶手段から検索する検索手段と、
この検索手段が前記記憶手段の中から前記リーダが読み出した識別情報に該当する情報を検索すると、前記通知手段に前記物品が前記保管庫に保管されている旨を通知させる通知情報を送信する通知制御手段と
を備えたことを特徴とするサーバー。
【請求項２】
請求項１記載のサーバーにおいて、
前記利用者が宛先である物品が保管庫に所定の期間以上保管されている場合、ネットワークを介して接続可能な利用者が所有する端末装置に、前記物品が前記保管庫に所定の期間以上保管されている旨を送信する第１の送信手段
をさらに備えたことを特徴とするサーバー。
【請求項３】
請求項１または２に記載のサーバーにおいて、
前記保管庫に保管されている物品の宛先である利用者の識別情報に対応づけられた識別情報が記録された記録媒体を所持している者により取り出されると、この旨を前記端末装置に送信する第２の送信手段
をさらに備えたことを特徴とするサーバー。
【請求項４】
請求項３記載のサーバーにおいて、
物品の宛先を入力する入力手段、
前記保管庫の施錠および解錠を行う錠制御手段および
前記保管庫から前記物品を取り出す者が所有する記憶媒体に記録されている識別情報を読み出す保管庫リーダ
とネットワークを介して接続されており、
前記錠制御手段に前記保管庫を解錠および施錠する指示を出す錠指示手段
をさらに備え、
前記記憶手段は、さらに利用者の識別情報に対応づけられた識別情報を記憶し、
前記検索手段は、前記保管庫リーダが読み出した識別情報を前記記憶手段の中から検索し、
前記検索手段が前記記憶手段の中から検索した識別情報が、保管庫に保管されている物品の宛先となっている利用者の識別情報に対応づけられた識別情報である場合、
前記錠指示手段は、前記錠制御手段に前記保管庫を解錠する指示を出す
ことを特徴とするサーバー。
【発明の詳細な説明】
【０００１】
【発明の属する技術分野】
本発明は、物品を保管する保管庫を管理するサーバーに関する。
【０００２】
【従来の技術】
オートロック等により住人以外の人の所定の地域への侵入に制限が設けられているマンション等の集合住宅において、このような集合住宅の住人に配送物やクリーニング等の物品を届ける場合、受取人となる住人が不在のときは、マンションのエントランス内に設置されている宅配ボックスを利用することが知られている。
【０００３】
このような宅配ボックスにおいて、物品を届ける者は、宅配ボックスに設けられている操作キー等により、物品を届ける部屋の番号を入力し、利用可能な空きボックスの番号を指定した後、このボックスに物品を投函して扉を閉め、物品を宅配ボックスに預けた旨が記載された不在お届け表を受取人の郵便受けに投函する。住人は、マンションに帰宅した際にエントランス内に設置されている郵便受けを確認し、不在お届け表が投函されていると、宅配ボックス専用のキーを用いて物品を宅配ボックスから取り出す。
【０００４】
【発明が解決しようとする課題】
しかしながら、マンションの住人は、帰宅した際に必ず郵便受けを確認するとは限らず、このような住人には物品が届いていることが長期にわたって気づかないといった問題がある。また、不在お届け表は郵便受けに投函されるため、他の配送物に紛れ込み、見落としてしまう場合もある。
本発明は、上述したような課題を解決するためになされたものであり、物品の受取人が物品が届けられていることを確実に知ることができるサーバーを提供することを目的とする。
【０００５】
【課題を解決するための手段】
上述したような課題を解決するために本発明にかかるサーバーは、施設の出入り口付近に配置され、利用者の施設の利用を制限するゲート手段、利用者が所持している記憶媒体に記録されている識別情報を読み出すリーダ、利用者に情報の通知をする通知手段および宛先が指定された物品を保管する保管庫とネットワークを介して接続されるサーバーであって、このサーバーは、リーダが読み出した識別情報に基づいて利用者の施設の利用の可否を判定し、この判定結果をゲート手段に送信する判定手段と、保管庫に物品が保管されている旨および物品の宛先である利用者の識別情報を記憶する記憶手段と、リーダが読み出した識別情報を記憶手段から検索する検索手段と、この検索手段が記憶手段の中からリーダが読み出した識別情報に該当する情報を検索すると、通知手段に物品が保管庫に保管されている旨を通知させる通知情報を送信する通知制御手段とを備えたことを特徴とする。このサーバーによれば、リーダが読み出したカードを所持している人が宛先となる物品が保管庫に保管されていると、その旨が通知される。
【０００６】
上記サーバーにおいて、利用者が宛先である物品が保管庫に所定の期間以上保管されている場合、ネットワークを介して接続可能な利用者が所有する端末装置に、物品が保管庫に所定の期間以上保管されている旨を送信する第１の送信手段をさらに備えるようにしてもよい。このサーバーによれば、所定の期間以上物品が保管庫に保管されていると、この旨が物品の宛先の人が所有する端末装置に送信される。
【０００７】
また、本発明にかかるサーバーは、保管庫に保管されている物品の宛先である利用者の識別情報に対応づけられた識別情報が記録された記録媒体を所持している者により取り出されると、この旨を端末装置に送信する第２の送信手段をさらに備えるようにしてもよい。このサーバーによれば、保管庫に保管されている物品を、この物品の宛先の人と関係がある人が取り出すと、その旨が宛先の人が所有している端末装置に送信される。
【０００８】
上記サーバーにおいて、物品の宛先を入力する入力手段、保管庫の施錠および解錠を行う錠制御手段および保管庫から物品を取り出す者が所有する記憶媒体に記録されている識別情報を読み出す保管庫リーダとネットワークを介して接続されており、錠制御手段に保管庫を解錠および施錠する指示を出す錠指示手段をさらに備え、記憶手段は、さらに利用者の識別情報に対応づけられた識別情報を記憶し、検索手段は、保管庫リーダが読み出した識別情報を記憶手段の中から検索し、検索手段が記憶手段の中から検索した識別情報が、保管庫に保管されている物品の宛先となっている利用者の識別情報に対応づけられた識別情報である場合、錠指示手段は、錠制御手段に保管庫を解錠する指示を出すようにしてもよい。このサーバーによれば、保管庫に保管されている物品を、この物品の宛先の人と関係がある人も取り出すことができる。
【０００９】
【発明の実施の形態】
以下、図面を参照して本発明の実施の形態について詳細に説明する。図１は集合住宅に設置された宅配ボックスを管理するための各構成要素の構成を示す概略図、図２は本実施の形態にかかるサーバーの構成を示すブロック図、図３は住人情報ＤＢ１４の構成を示す図、図４は宅配ボックスＤＢ１５の構成を示す図、図５は投入者情報ＤＢ１６の構成を示す図、図６（ａ）はマンションのエントランスに設けられた認証装置の構成を示すブロック図、図６（ｂ）は認証装置の外観の一例を示す図、図７は宅配ボックスの構成を示すブロック図である。なお、本実施の形態にかかるサーバーは、マンション等の集合住宅に設置された宅配ボックスの管理を行う。
【００１０】
本実施の形態にかかるサーバー１は、ＬＡＮやインターネット等のネットワーク１００を介して、マンション等の集合住宅のエントランスに設けられた認証装置２００、集合住宅に設置された宅配ボックス３００、集合住宅の住人が所有する端末装置４００およびウェブサーバー５００に接続される。
【００１１】
サーバー１は、図２に示すように、ネットワーク制御部１１と、入力部１２と、表示部１３と、住人情報ＤＢ１４と、宅配ボックスＤＢ１５と、投入者情報ＤＢ１６、物品受付部１７と、カード照合部１８と、宅配ボックス制御部１９および制御部２０とから構成される。
【００１２】
ネットワーク制御部１１は、ネットワーク１００を介して、認証装置２００、宅配ボックス３００、端末装置４００およびウェブサーバー５００と各種情報の送受信を行うことにより第１および第２の送信手段としての機能を実現する。
入力部１２は、例えばキーボード、タッチパネルまたはマウス等の入力装置からなり、サーバー１の管理人による操作入力を検出し、制御部２０に送信する。
表示部１３は、例えばＣＲＴ（Ｃａｔｈｏｄｅ　Ｒａｙ　Ｔｕｂｅ）や液晶ディスプレイ等の表示装置からなり、制御部２０から受信する各種情報を表示する。
【００１３】
住人情報ＤＢ１４は、図３に示すように、住人が住む部屋の番号、各住人が所有するカードの識別番号、宅配ボックス３００に届けられた物品を取り出すと連絡先のアドレスまたは連絡先の電話番号にその旨が通知されるか否かの設定登録、連絡先の電話番号および連絡先のアドレス等が記憶されたテーブルからなる。
宅配ボックスＤＢ１５は、図４に示すように、保管庫の識別番号、宅配ボックスの使用開始日時、物品の受取人の部屋番号、物品を保管庫に投入した者に関する識別情報である投入者情報、保管庫に物品を投入した者がその物品を取り出す際に宅配ボックス３００に入力するコードである取り出しコード等が記憶されたテーブルからなる。なお、宅配ボックスＤＢ１５は、図４に示すテーブルとあわせて、宅配ボックスから物品を取り出した日時、宅配ボックスから物品を取り出した者の識別情報等のログが記録されるようにしてもよい。
投入者情報ＤＢ１６は、図５に示すように、宅配ボックス３００に物品を預けた者等の電話番号などの連絡先が記録されている。
【００１４】
物品受付部１７は、宅配ボックス３００から宅配ボックス３００に物品を預ける際の各種情報を宅配ボックスＤＢ１５に登録する。
カード照合部１８は、認証装置２００または宅配ボックス３００からカードに記録されている識別情報を受信すると、この識別情報を住人情報ＤＢ１４から検索し、カードが住人情報ＤＢ１４に登録されているか否かを照合することにより判定手段として機能する。
宅配ボックス制御部１９は、宅配ボックス３００に設けられている各保管庫の施錠および解錠を制御することにより錠指示手段として機能する。
制御部２０は、住人情報ＤＢ１４、宅配ボックスＤＢ１５または投入者情報ＤＢ１６を参照して、宅配ボックス３００に保管されている物品の管理および端末装置４００への情報の送信を行うことにより、検索手段および通知制御手段としての機能を実現するとともにサーバー１の各種動作の制御を行う。
【００１５】
認証装置２００は、集合住宅のエントランス等の内部やゲート近傍などに設置され、図６（ａ）に示すように、ネットワーク制御部２０１と、入力部２０２と、表示部２０３と、カードリーダ２０４と、ゲート部２０５および制御部２０６とから構成される。
【００１６】
ネットワーク制御部２０１は、ネットワーク１００を介して、サーバー１と各種情報の送受信を行う。
入力部２０２は、例えばキーやタッチパネル等の入力装置からなり、エントランスから集合住宅内部に入る人や集合住宅の住人に用事がある人など操作入力を検出して、制御部２０６に送信する。
表示部２０３は、例えばＣＲＴ（Ｃａｔｈｏｄｅ　Ｒａｙ　Ｔｕｂｅ）、ＦＥＤ（Ｆｉｅｌｄ　Ｅｍｉｓｓｉｏｎ　Ｄｉｓｐｌａｙ）、液晶ディスプレイ等の表示装置からなり、図６（ｂ）に示すように、制御部２０６から入力される各種情報を表示する。
カードリーダ２０４は、集合住宅の住人が所持しているＩＣカード等の記録媒体に記憶されている識別情報を読み出し、制御部２０６に送信する。なお、ＩＣカードは、集合住宅の住戸の鍵としても機能する。
ゲート部２０５は、マンション等の集合住宅のエントランスに設けられた扉などのゲートの開閉を、制御部２０６の指示に基づいて行う。
制御部２０６は、サーバー１の指示に基づいて認証装置２００の各種動作の制御を行う。
【００１７】
宅配ボックス３００は、集合住宅のエントランス近辺またはそれ以外の場所に設置され、図７に示すように、ネットワーク制御部３０１と、入力部３０２と、表示部３０３と、カードリーダ３０４と、施錠部３０５と、保管庫３０６と、プリント部３０７と、制御部３０８とから構成される。
【００１８】
ネットワーク制御部３０１は、ネットワーク１００を介して、サーバー１と各種情報の送受信を行う。
入力部３０２は、例えばキーやタッチパネル等の入力装置からなり、宅配ボックス３００に物品を預ける人や宅配ボックスから物品を取り出す人の操作入力を検出し、制御部３０８に送信する。
表示部３０３は、例えばＣＲＴ（Ｃａｔｈｏｄｅ　Ｒａｙ　Ｔｕｂｅ）、ＦＥＤ（Ｆｉｅｌｄ　Ｅｍｉｓｓｉｏｎ　Ｄｉｓｐｌａｙ）、液晶ディスプレイ等の表示装置からなり、制御部３０８から入力される各種情報を表示する。
【００１９】
カードリーダ３０４は、宅配ボックス３００に保管されている物品を取り出す人が所持しているカード（ＩＣカード）に記録されている識別情報を読み込み、制御部３０８に送信する。
施錠部３０５は、制御部３０５の指示に基づいて、保管庫３０６の施錠および解錠を行う。
保管庫３０６は、物品を保管する複数のボックス等からなり、集合住宅の住人が宛先となる物品を保管する。保管庫３０６ａ〜３０６ｎのそれぞれは、施錠部３０５により施錠および解錠が行われる。
プリント部３０７は、宅配ボックスに物品を預けた人に、物品を受領した旨が記載された受領証を発行または物品を受領した旨の受領印を伝票等に押下する。
【００２０】
端末装置４００は、例えばＰＣ（Ｐｅｒｓｏｎａｌ　Ｃｏｍｐｕｔｅｒ）、ＰＤＡ（Ｐｅｒｓｏｎａｌ　Ｄｉｇｉｔａｌ　Ａｓｓｉｓｔａｎｔｓ）または携帯電話機等のネットワーク１００を介してメールの送受信を行うことができるであり、サーバー１から送信されるメールをウェブサーバー５００を介して受信する。なお、端末装置４００は、例えば電話機やＦＡＸなどサーバー１から情報を受信することができる装置であればよい。
【００２１】
ウェブサーバー５００は、ネットワーク１００を介してサーバー１、認証装置２００、宅配ボックス３００および端末装置４００と接続されており、インターネットを介してサーバー１、認証装置２００、宅配ボックス３００または端末装置４００が各種情報の送受信を行う際の仲介を行う。このようなウェブサーバー５００は、ディスクアレイ装置を備えており、ミラーリング、ストライピングまたはデュプレキシング等を実施することにより送受信される各種情報が損害を受けることを防ぐ。
【００２２】
次に、本実施の形態にかかるサーバーの動作について説明する。
図８は、本実施の形態にかかるサーバー１の全体の動作を示すフローチャートである。
【００２３】
まず、サーバー１は、認証装置２００または宅配ボックス３００から何らかの情報を受信する（ステップＳ８０１：ＹＥＳ）。
【００２４】
宅配ボックス３００から物品を預けることに関する情報を受信した場合（ステップＳ８０２：ＹＥＳ）、サーバー１は、図９に示すＡの処理を行い、ステップＳ８０５の処理に進む。図９は、宅配ボックス３００に物品を預ける際のサーバー１の動作を示すフローチャートである。
【００２５】
物品を宅配ボックス３００に預ける場合、サーバー１は、入力部３０２により物品を預ける旨の操作入力を検出すると（ステップＳ９０１：ＹＥＳ）、宅配ボックスＤＢ１５から利用可能な保管庫を検索し、検索した情報を宅配ボックス３００に送信し表示部３０３に表示させる（ステップＳ９０２）。
【００２６】
表示部３０３に表示された情報に基づいて空いている保管庫に物品が投入され、この物品の宛先の部屋番号、投入者情報および取り出しコードを入力部３０２から受信すると（ステップＳ９０３）、サーバー１は、部屋番号、投入者情報、取り出しコードおよび物品が投入された保管庫の番号を宅配ボックスＤＢ１５に記録し（ステップＳ９０４）、施錠部３０５に物品が投入された保管庫の扉を施錠する指示を出す（ステップＳ９０５）。また、物品を投入した者により受領印の押下を希望する旨の情報を入力部３０２が検出すると（ステップＳ９０６：ＹＥＳ）、サーバー１は、プリント部３０７に受領印を押下する指示を出す（ステップＳ９０７）。
【００２７】
次に、認証装置２００から情報を受信した場合（ステップＳ８０３：ＹＥＳ）、サーバー１は、図１０に示すＢの処理を行い、ステップＳ８０５の処理に進む。図１０は、認証装置２００が利用者の所持するカードを認証する際のサーバー１の動作を示すフローチャートである。
【００２８】
サーバー１は、カードリーダ２０４がカードの識別情報（カードの識別番号）を読み込むと、この識別情報を住人情報ＤＢ１４から検索する（ステップＳ１００１）。
カードリーダ２０４が読み出した識別情報が住人情報ＤＢに含まれていない場合（ステップＳ１００２：ＮＯ）、サーバー１は、表示部２０３に入場できない旨を表示する情報を送信する（ステップＳ１００３）。
【００２９】
カードリーダ２０４が読み出した識別情報が住人情報ＤＢに含まれている場合ステップＳ１００２：ＹＥＳ）、サーバー１は、カードリーダ２０４が読み出したカードを所持している住人の部屋が宛先となっている物品が宅配ボックス３００に保管されているか否かを、宅配ボックスＤＢ１５から検索する（ステップＳ１００４）。
【００３０】
宅配ボックスＤＢ１５に物品が保管されている場合（ステップＳ１００５：ＹＥＳ）、サーバー１は、物品を預かっている旨を表示部２０３に表示する指示を認証装置２００に送信する（ステップＳ１００６）。表示部２０３には、一例として図６（ｂ）に示すように、物品が届けられていることが表示される。なお、認証装置２００にスピーカー等を設けて、音声により物品が届けられていることを通知するようにしてもよい。
そして、サーバー１は、認証装置２００に扉を開ける指示を送信する（ステップＳ１００７）。
【００３１】
宅配ボックスＤＢ１５に物品が保管されていない場合（ステップＳ１００５：ＮＯ）、サーバー１は、認証装置２００に扉を開ける指示を送信する（ステップＳ１００７）。
【００３２】
上述したように本実施の形態にかかるサーバー１は、集合住宅に設けられた識別装置がカードを読み込むと、そのカードを所持している住人の部屋が宛先となっている物品が宅配ボックス３００に保管されている場合、この旨が通知されるので、物品の受取人は物品が届けられていること確実に知ることができる。
【００３３】
次に、宅配ボックス３００から住人による操作情報を受信した場合（ステップＳ８０４：ＹＥＳ）、サーバー１は、図１１に示すＣの処理を行い、ステップＳ８０５の処理に進む。図１１は、宅配ボックス３００が住人のカードを読み込んだ際のサーバー１の動作を示すフローチャートである。
【００３４】
サーバー１は、カードリーダ３０４がカードの識別情報を読み込むと、この識別情報に対応した部屋が宛先となっている物品が宅配ボックス３００に保管されているか否か宅配ボックスＤＢ１５を検索する（ステップＳ１１０１）。
【００３５】
物品が保管されていない場合（ステップＳ１１０２：ＮＯ）、サーバー１は、表示部３０１に物品を預かっていない旨を表示する指示を送信する（ステップＳ１１０７）。なお、サーバー１は、物品を預かっていない旨を表示する指示を表示部３０１に送信しないようにしてもよい。
【００３６】
物品が保管されている場合（ステップＳ１１０２：ＹＥＳ）、サーバー１は、表示部３０１に物品を預かっている旨を表示する指示を送信し（ステップＳ１１０３）、施錠部３０５にその物品を保管している保管庫を解錠する指示を送信する（ステップＳ１１０４）。
【００３７】
また、サーバー１は、カードリーダ３０４が読み込んだカードが、取り出し通知をするように設定されているか否か住人情報ＤＢ１４を検索する（ステップＳ１１０５）。
取り出し通知をするように設定されている場合（ステップＳ１１０５）、サーバー１は、カードリーダ３０４が読み込んだカードの識別情報に対応づけて住人情報ＤＢに登録されているアドレス、電話番号またはＦＡＸ番号に、メールを送信、電話をかけるもしくはＦＡＸを送信することにより、物品が取り出されたことを通知する。
これにより本実施の形態にかかるサーバー１は、物品の受取人以外の人、例えば子供等が物品を宅配ボックス３００から取り出しても、この旨が端末装置に通知されるので、物品が届けられていることを確実に知ることができ、子供のいたずら等を防止することができる。
【００３８】
なお、本実施の形態において、取り出し通知をするように設定されている場合、サーバー１は、メールを送信、電話をかけるもしくはＦＡＸを送信する以外にも、例えば、認証装置２００の表示部に表示するもしくは認証装置２００にスピーカー等を設けて音声により通知するようにしてもよい。
【００３９】
次に、サーバー１は、Ａ、Ｂ、Ｃの処理を行うまたはＡ、Ｂ、Ｃの処理に至る以外の情報受信すると、宅配ボックスＤＢ１５から宅配ボックス３００に２日以上保管されている物品があるか否かを検索する（ステップＳ８０５）。
【００４０】
宅配ボックス３００に２日以上保管されている物品がある場合（ステップＳ８０５：ＹＥＳ）、サーバー１は、図１２に示すＤの処理を行い、動作を終了する。図１２は、宅配ボックス３００に２日以上物品が預けられている場合のサーバー１の動作を示すフローチャートである。
なお、本実施の形態において、宅配ボックス３００に２日以上保管されている物品があるとＤの処理を行うように設定したが、Ｄの処理を行うに至る宅配ボックス３００に物品が保管されている日数は２日に限定されず、適宜自由に変更することができる。
【００４１】
サーバー１は、宅配ボックスＤＢ１５から、２日以上保管されている物品に対応づけられている投入者情報を検索し（ステップＳ１２０１）、この検索された投入者情報に基づいて、投入者情報ＤＢから受取人不在による連絡先を検索し（ステップＳ１２０２）、この連絡先に２日以上物品が保管されている旨を通知する（ステップＳ１２０３）。すると、宅配ボックス３００に２日以上保管されている物品を預けた者は、物品の宛先の人がまだ物品を取り出していないことを確認することができるので、宛先の人に物品を宅配ボックス３００に預けている旨を知らせることができる。その結果、宛先の人が物品を取り出すことができない場合は、物品を宅配ボックス３００に預ける際に登録した取り出しコードを入力部３０２から入力することにより、物品を宅配ボックス３００から取り出し、別途保管することもできる。
【００４２】
なお、本実施の形態において、サーバー１は、Ａ、Ｂ、Ｃの処理を行うまたはＡ、Ｂ、Ｃの処理に至る以外の情報受信すると、宅配ボックスＤＢ１５から宅配ボックス３００に２日以上保管されている物品があるか否かを検索するようにしたが、宅配ボックス３００に２日以上保管されている物品があるか否かを検索するに至る手順は、それに限定されない。例えば、宅配ボックスＤＢ１５を所定の間隔で検索したり、宅配ボックスＤＢ１５に記録されている使用開始日時と現在時刻を常に比較し、２日以上保管されている物品を即座に検索できるようにしてもよい。
【００４３】
また、本実施の形態において、所定の期間（本実施の形態では２日）以上宅配ボックス３００に保管されている物品があると、その物品を預けた者に通知をするようにしたが、物品の宛先となっている者の端末装置に通知するようにしてもよい。この場合、サーバー１は、所定の期間以上宅配ボックス３００に保管されている物品があると、宅配ボックスＤＢ１５から所定の期間以上保管されている物品の宛先の部屋を検索し、この部屋の住人の連絡先を住人情報ＤＢ１４から検索し、この検索した連絡先にメール、電話またはＦＡＸ等により物品が所定の期間以上宅配ボックス３００に保管されている旨を通知する。これにより、宅配ボックス３００に保管されている物品の宛先となっている者は、物品が届けられていることを確実に知ることができる。
【００４４】
本実施の形態にかかるサーバー１は、マンション等の集合住宅のみならず、例えば駅等にも適用することができる。この場合は、集合住宅のエントランスを駅の改札に置き換え、駅の改札もしくは駅の構内やそれ以外の場所に物品を利用者に渡す仲介をする受け渡しボックス等を設置することにより、本実施の形態で説明したのと同様の作用効果を実現することができる。
【００４５】
【発明の効果】
以上説明したように、本発明によれば、リーダが読み出した記録媒体を所持している利用者が宛先となっているに物品が保管庫に保管されていると、その旨が利用者に通知されるので、利用者は物品が保管庫に届けられていることを確実に知ることができる。
また、本発明によれば、保管庫に所定の期間以上物品が保管されていると、その物品の宛先となっている利用者の端末装置に、保管庫に所定の期間以上物品が保管されている旨が通知されるので、利用者は物品が保管庫に届けられていることを確実に知ることができる。
さらに本発明によれば、物品の宛先である利用者の識別情報に対応づけられた識別情報が記録された記録媒体を所持している者により取り出されると、この旨が利用者の端末装置に通知されるので、利用者は、物品が届けられていることを確実に知ることができる。
【図面の簡単な説明】
【図１】集合住宅に設置された宅配ボックスを管理するための各構成要素の構成を示す概略図である。
【図２】本実施の形態にかかるサーバーの構成を示すブロック図である。
【図３】住人情報ＤＢ１４の構成を示す図である。
【図４】宅配ボックスＤＢ１５の構成を示す図である。
【図５】投入者情報ＤＢ１６の構成を示す図である。
【図６】（ａ）マンションのエントランスに設けられた認証装置の構成を示すブロック図、（ｂ）認証装置の外観の一例を示す図である。
【図７】宅配ボックスの構成を示すブロック図である。
【図８】本実施の形態にかかるサーバー１の全体の動作を示すフローチャートである。
【図９】図９は、宅配ボックス３００に物品を預ける際のサーバー１の動作を示すフローチャートである。
【図１０】認証装置２００が利用者の所持するカードを認証する際のサーバー１の動作を示すフローチャートである。
【図１１】宅配ボックス３００が住人のカードを読み込んだ際のサーバー１の動作を示すフローチャートである。
【図１２】宅配ボックス３００に２日以上物品が預けられている場合のサーバー１の動作を示すフローチャートである。
【符号の説明】
１…サーバー、１１…ネットワーク制御部、１２…入力部、１３…表示部、１４…住人情報ＤＢ、１５…宅配ボックスＤＢ、１６…投入者情報ＤＢ、１７…物品受付部、１８…カード照合部、１９…宅配ボックス制御部、２０…制御部、１００…ネットワーク、２００…認証装置、３００…宅配ボックス、４００…端末装置、５００…ウェブサーバー。
【図１】
2004059228.tif 000003
【図２】
2004059228.tif 000004
【図３】
2004059228.tif 000005
【図４】
2004059228.tif 000006
【図５】
2004059228.tif 000007
【図６】
2004059228.tif 000008
【図７】
2004059228.tif 000009
【図８】
2004059228.tif 000010
【図９】
2004059228.tif 000011
【図１０】
2004059228.tif 000012
【図１１】
2004059228.tif 000013
【図１２】
2004059228.tif 000014